(57)【要約】【課題】  ディジタルカメラやディジタルビデオカメラで使用されるリムーバブルメディアのタイトルを自動生成する方法。【解決手段】  リムーバブルメディアに記録されているファイルにユーザがネーミングしたファイル名がつけられているとき、そのファイル群の中からファイル名がユーザの指定した条件で自動選択されリムーバブルメディアのタイトルとして設定される。【選択図】  図４
2006109135.tif 000002
【特許請求の範囲】
【請求項１】
撮像素子を使用して動画像および（または）静止画像を取り外し可能な記憶媒体に記録でき、記録した動画像および（または）静止画像を再生可能であり、記録した動画像および（または）静止画像を表示可能な表示装置を有する記録再生装置において、取り外し可能な記憶媒体のタイトルを取り外し可能な記憶媒体内に記録されている動画像および（または）静止画像の予めネーミングされたファイル名から自動的に選択し決定することを特徴とした取り外し可能な記憶媒体のタイトル自動生成方法。
【請求項２】
請求項１の記録再生装置において取り外し可能な記憶媒体のタイトルを取り外し可能な記憶媒体内に記録されている動画像および（または）静止画像のファイル群から記録時刻が最も古いファイルのファイル名、または記録時間が最も長いファイルのファイル名、またはデータ容量が最も大きいファイルのファイル名、またはユーザが任意に並び替えたファイル順先頭のファイルのファイル名を自動的に選択しそのファイル名を取り外し可能な記憶媒体のタイトルとして決定する方法。
【請求項３】
請求項１の記録再生装置において請求項２の方法を用いて取り外し可能な記憶媒体のタイトルとして決定するとき、同じ条件のファイルが複数選択された場合、それらと異なる条件である記録時刻が最も古いファイルのファイル名、または記録時間が最も長いファイルのファイル名、またはデータ容量が最も大きいファイルのファイル名を自動的に選択しそのファイル名を取り外し可能な記憶媒体のタイトルとして決定する方法。
【請求項４】
請求項1の記録再生装置において取り外し可能な記憶媒体のタイトルを取り外し可能な記憶媒体内に記録されている動画像および（または）静止画像の予めネーミングされたファイル名から自動的に選択し決定することを行うか否かをユーザが選択することのできる方法。
【請求項５】
請求項１の記録再生装置において取り外し可能な記憶媒体のタイトルを取り外し可能な記憶媒体内に記録されている動画像および（または）静止画像の予めネーミングされたファイル名から自動的に選択し決定するとき、取り外し可能な記憶媒体に記憶されている内容が新たに追加、または消去されたときにメディアタイトルを同じ手法を用いて選択し自動的に適宜変更する方法。
【発明の詳細な説明】
【技術分野】
【０００１】
本発明はディジタルカメラやディジタルビデオカメラで記録可能なリムーバブルメディアのタイトル自動生成に関するものである。
【背景技術】
【０００２】
ディジタルカメラやディジタルビデオカメラなどのリムーバブルメディアに記録可能な機器を使用する際に、記録済みのメディアが増えるとしばしばそれの記録内容整理に追われることがある。記録済みメディアに記録内容を明瞭に表すタイトル情報を付けることは日々増大するデータの整理上有効である。また動画など一連の内容のデータが複数のメディアわたって記録されている場合、メディアにタイトルが付いているとそのメディアの終盤データ再生時に次のメディアタイトル情報を表示しユーザにメディアの交換を促すことも可能である。このことからも記録済みメディアにタイトルをつけることはデータ再生時のユーザ操作性に大きく貢献する。
【０００３】
今までにファイルタイトルを容易に入力しその情報を動画と合成するなどの利用法を目的とした手法は発明されてきた（特許文献参照）。またディスクやファイル情報として著作権情報などメディアに記録情報を記録することはなされてきたが今までにメディアタイトルを自動で生成する方法は発明されていない。
【特許文献１】特開平１０−２９０４２２号公報（ソニー）
【発明の開示】
【発明が解決しようとする課題】
【０００４】
リムーバブルなメディアにタイトルを付けるときメディア内に記録されているデータ内容をユーザが把握している必要がある。特に記録から時間が経つと内容確認のために全てのデータを再生するなどタイトル決定に大きな手間がかかる。そのためメディアのタイトルが自動的に生成されることが望まれる。本発明はメディアタイトル入力の手間を簡略化することを目的とする。
【課題を解決するための手段】
【０００５】
本発明は上記課題を解決する手法として動画像および（または）静止画像を取り外し可能な記憶媒体に記録でき、記録した動画像および（または）静止画像を再生可能であり、記録した動画像および（または）静止画像を表示可能な表示装置を有する記録再生装置において、取り外し可能な記憶媒体のタイトルを取り外し可能な記憶媒体内に記録されている動画像および（または）静止画像の予めネーミングされたファイル名から自動的に選択し決定することを特徴とした取り外し可能な記憶媒体のタイトルを自動生成する。
【０００６】
このメディアタイトル自動生成方法は取り外し可能な記憶媒体のタイトルを取り外し可能な記憶媒体内に記録されている動画像および（または）静止画像のファイル群から記録時刻が最も古いファイルのファイル名、または記録時間が最も長いファイルのファイル名、またはデータ容量が最も大きいファイルのファイル名を自動的に選択しそのファイル名を取り外し可能な記憶媒体のタイトルとして決定する方法である。
【０００７】
またこの方法でメディアタイトルを決定する際に同じ条件のファイルが複数選択された場合、それらと異なる条件である記録時刻が最も古いファイルのファイル名、または記録時間が最も長いファイルのファイル名、またはデータ容量が最も大きいファイルのファイル名を自動的に選択しそのファイル名を取り外し可能な記憶媒体のタイトルとして決定することができる。
【０００８】
さらに取り外し可能な記憶媒体のタイトルを取り外し可能な記憶媒体内に記録されている動画像および（または）静止画像の予めネーミングされたファイル名から自動的に選択し決定することを行うか否かをユーザが選択することができ、取り外し可能な記憶媒体に記憶されている内容が新たに追加、または消去されたときにメディアタイトルを同じ手法を用いて選択し自動的に適宜変更することができる。
【発明の効果】
【０００９】
以上のように本発明はディジタルカメラやディジタルビデオカメラにおいてメディアのタイトルを自動的に生成する方法である。
【００１０】
一連の内容を同じメディアに記録するとき一番初めに記録された内容がそのメディアのファイル群の内容を代表していると考えられるため、記録時刻の最も早いファイルを選択するように設定することでメディアタイトル自動生成の効果が得られる。また様々な内容を同じメディア内に混在させる場合、撮影時間の最も長いファイルがそのメディアのファイル群の最も重要な内容を示していると考えられるため、記録時間が最も長いファイルを選択するように設定することによってメディアタイトル自動生成の効果が得られる。また記録内容によっては記録時間とファイル容量が比例しないためこの場合ファイル容量が最大のものを選択する設定にすることもできるようにすることができる。
【００１１】
このようにしてメディアタイトル自動生成機能を用いることによってユーザがメディアタイトルを設定するときの煩雑な作業を大幅に省くことができる。
【発明を実施するための最良の形態】
【００１２】
（実施例１）
図1に本発明の機能が搭載される記録再生機器を示す。１は記録再生装置本体、２は撮影対象を信号に変換する撮像部、３は画像処理部、４は画像の圧縮・伸長部である。５は記録時または記録後に画像を確認する表示部、６はリムーバブルメディアにデータの読み書きを行うメディアインターフェイス、７はリムーバブルディスクである。リムーバブルメディア７には８に示されるラベル領域と９に示されるデータ領域が存在し、メディアインターフェイスで生成されたメディアタイトルがラベル領域８に画像データがデータ領域９にそれぞれ書き込まれる。10はシステムコントローラであり画像処理部３、圧縮・伸長部４、画像表示部５、メディアインターフェイス６を制御しているマイコンである。またシステムコントローラには設定ボタン11、十字キー12、メニューボタン13が接続されユーザの操作を入力することができる。
【００１３】
図２はメディアタイトル設定の概念図である。記録再生装置1に使用するリムーバブルメディア14にはDVD、CD-R、SDカードなどが挙げられるがこれらのメディア内には記録された動画や静止画が収められている15。各ファイルにはユーザが自由に名前をつけることができ、ファイルの内容を明瞭に示すことができる。ファイルタイトルはメインタイトルとサブタイトルから成り、内容をさらに細かく分類するため必要に応じてサブタイトルを付加することができる。例えば“スキー旅行−前日”のようにメインタイトルとサブタイトルをハイフンで区切って設定することができる。リムーバブルメディア14のメディアタイトル16はファイル名（サブタイトルを除く）から選択される。記録時刻の最も早いものを選択する設定のとき図２のようにファイル群15から “スキー旅行−前日”が選択され、そのメインタイトル部分“スキー旅行”がメディアタイトルとして設定される。
【００１４】
次にファイル名設定の手順を示す。図３はファイル名設定時の画像表示部の表示例詳細を設定順に示したものである。例としてファイルタイトル“スキー旅行−前日”を入力する。始めにファイルタイトルの入力方法を選択する。入力方法は二種類あり予めジャンル別に登録されている代表的な単語を選択する「定型文字入力」とキー入力により文字を入力する「文字入力」である。ここではメインファイルタイトル設定に「定型文字入力」を２回使用する。十字キー12の上下により「定型文字入力」を選択し、設定ボタン11で設定する17。次にジャンルの選択を十字キー12の上下により「スポーツ」を選択し、設定ボタン11で設定する18。さらに十字キー12上下左右で「スキー」を選択したら設定ボタン11で設定する。17〜19と同様の手順によって「旅行」を選択することができ20〜22、十字キー12上下で「決定」を選択、設定ボタン11でタイトルを確定する23。
【００１５】
次に「文字入力」を使用してサブタイトルの設定を行う。サブタイトルの入力「する」を十字キー12上下で選択、設定ボタンで設定する24。そして十字キー12上下で「文字入力」を選択し設定ボタン11で文字入力モードに入る25。文字入力画面では十字キー12上下で「あ」〜「ん」まで文字を送り、左右でカーソル横移動する26。文字入力が終わるとメニューボタン10で漢字変換し十字キー12上下で変換候補を選択、設定ボタン11で確定する27。文字が確定された状態でメニューボタン10を押すと入力をカナ、英数文字に切り替えられる。また設定ボタン11で入力終了する28。最後に決定を選択し入力が完了する29。以上の動作によりファイルタイトルおよびサブタイトル「スキー旅行−前日」が入力できる。
【００１６】
最後にメディアタイトル自動生成の設定を行う。タイトル自動生成設定画面30において自動入力「はい」を十字キー12上下で選択、設定ボタン11で決定する。ここでは記録時刻が最も早いファイルをメディアのタイトル設定するため十字キー12上下で「記録時刻が最も早い」を選択して設定ボタン11決定すると全ての設定は終了する31。
【００１７】
メディアタイトル自動生成の流れを図５のフロー図を用いて説明する。始めに設定画面30で行ったメディアタイトル作成の判断32をする。次に自動生成の３つのモードに分かれる33,35。各処理ルーチン内34,36,37でファイルが選択された後にメディアタイトルとしてそのファイルタイトルがメディアタイトルとして設定される38。記録時刻が最も早いファイルを選択する場合の処理ルーチンは図６に示される。ファイル個別の記録時刻情報を検索し最も時刻の早いものを抽出すると処理は完了する。
【００１８】
以上の流れでメディア内に記録されたファイル群から記録時刻が最も早いファイルが選択されそのファイルネームがメディアタイトルとして設定される。
【００１９】
（実施例２）
実施例１により設定したファイルタイトルを元にメディアのタイトルを決定する。図８において、記録時間の最も長いファイル名をメディアのタイトルに設定するときメディア内のファイルスキャン40を行い記録時間最長のファイルを選択する。このとき最長のファイルが二つ以上存在する可能性があることから同一長さのファイルが複数存在しないか判定41をする。ファイルが複数存在する場合はその中で最も記録時刻の早いものを選択42する。以上のような流れでメディアタイトルを生成、設定する。
【００２０】
（実施例３）
実施例１により設定したファイルタイトルを元にメディアのタイトルを決定する。図９において、ファイル容量の最も大きいファイル名をメディアのタイトルに設定するときメディア内のファイルスキャン43を行いファイルサイズが最大のファイルを選択する。ファイルサイズ最大のファイルが複数存在する場合はその中で最も記録時刻の早いものを選択45する。以上のような流れでメディアタイトルを生成、設定する。
【図面の簡単な説明】
【００２１】
【図１】本発明機能を有する記録再生装置の概念図
【図２】メディアタイトル自動生成の概要
【図３】ファイルタイトル入力手順例
【図４】メディアタイトル生成モード設定例
【図５】本発明の処理の流れを示すフロー図
【図６】ファイル選択処理1のフロー図
【図７】ファイル選択処理2のフロー図
【図８】ファイル選択処理3のフロー図
【符号の説明】
【００２２】
１  記録再生装置
２  撮像部
３  画像処理部
４  圧縮・伸長部
５  画像表示部
６  メディアインターフェイス
７  リムーバブルメディア
８  ラベル領域（メディアタイトル記録部）
９  データ領域
10  システムコントローラ
11  設定ボタン
12  十字キー
13  メニューボタン
14  各種リムーバブルメディア
15  記録されたファイル群
16  メディアタイトル
17〜23  ファイルメインタイトル設定画面
24〜28  ファイルサブタイトル設定画面
29  ファイルタイトル決定画面
30  メディアタイトル生成選択画面
32  メディアタイトル自動生成モードON/OFFの判断
33  記録時刻が最も早いファイルを選択するかの判断
34  記録時刻が最も早いファイルを選択する関数
35  記録時間が最も長いファイルを選択するかの判断
36  記録時間が最も長いファイルを選択する関数
37  ファイル容量が最も大きいファイルを選択する関数
38  メディアタイトルの生成
39  記録時間の最も早いファイルを検索
40  記録時間が最も長いファイルを検索
41  記録時間の最も長いファイルが複数存在しないか判断
42  複数ファイルのうち記録時間が最も早いファイルを選択
43  ファイル容量が最も大きいファイルを検索
44  ファイル容量が最も大きいファイルが複数存在しないか判断
45  複数ファイルのうち記録時間が最も早いファイルを選択
【図１】
2006109135.tif 000003
【図２】
2006109135.tif 000004
【図３】
2006109135.tif 000005
【図４】
2006109135.tif 000006
【図５】
2006109135.tif 000007
【図６】
2006109135.tif 000008
【図７】
2006109135.tif 000009
【図８】
2006109135.tif 000010